(57)【要約】【課題】タンク部とタンク蓋を別個の結合手段により結合する必要がなく、また、タンク部への注水する注水口を別に設ける必要のない貯水装置を提供することを目的とする。【解決手段】本体に装脱可能に設けられる排水タンク２を形成する上方が開口したタンク部３およびタンク蓋４と、タンク部３の略中央に起立自在に設けられる開口部８とを備え、開口部８を介して本体からの排水を排水タンク２に貯水する構成とすることにより、タンク部３とタンク蓋４とを別個の結合手段により結合する必要がなく、また、タンク部３への注水口を別個に設ける必要のない貯水装置を得られる。【選択図】図１
2007216090.tif 000002
【特許請求の範囲】
【請求項１】
本体に装脱可能に設けられる排水タンクを形成する上方が開口したタンク部およびタンク蓋と、前記タンク部の略中央に起立自在に設けられるタンク取手と、このタンク取手が起立状態で貫通するように前記タンク蓋に設けられる開口部とを備え、前記開口部を介して前記本体からのドレン水を前記排水タンクに貯水する構成とした貯水装置。
【請求項２】
排水タンクのタンク部の前面壁裏面に波立ち抑制用の水平リブを設けた請求項１記載の貯水装置。
【請求項３】
水平リブを、タンク部表面に表示される水位線の位置に合致するように設け、前記タンク部を透明または半透明に形成した請求項２記載の貯水装置。
【請求項４】
水位線を凸形状または凹形状に形成した請求項３記載の貯水装置。
【請求項５】
タンク蓋の端部近傍に設けられる排水口と、この排水口の端辺に沿うようにタンク部の壁面と当接する形状で前記排水口に向かい傾斜する排水案内リブを設けた請求項１記載の貯水装置。
【請求項６】
起立自在に設けたタンク取手を寝かせたときに、前記タンク取手の脚部の内面に圧接し、前記タンク取手の脚部が内側へ変形するのを規制する規制部を設けた請求項１記載の貯水装置。
【請求項７】
タンク部の長手方向の壁面中央部に凹状部を設け、前記タンク部の上端に嵌合するタンク蓋に、前記凹状部の上方部を覆う蓋着脱用の指掛部を設けた請求項１記載の貯水装置。
【請求項８】
タンク蓋の長手方向の中央付近に上部の突設する指掛部を設けた請求項１記載の貯水装置。
【請求項９】
タンク蓋の周囲に垂設された嵌合帯部の長手方向の略中央付近に幅寸法大なる拡大部を形成した請求項８記載の貯水装置。
【請求項１０】
タンク部に設けられた引出用取手部の上面に重なるように設けられるカバー部をタンク蓋に形成し、前記カバー部の端部を前記タンク部の壁面に近接または当接させた構成の請求項１記載の貯水装置。
【請求項１１】
タンク部とタンク蓋を乳白色に形成し、少なくともタンク取手を不透明の純白色とした請求項１記載の貯水装置。
【発明の詳細な説明】
【技術分野】
【０００１】
本発明は、除湿装置などの本体に着脱自在に設けられ、本体で発生したドレン水を受けて貯水する貯水装置に関する。
【背景技術】
【０００２】
従来、この種の貯水装置として、貯水タンクをタンク部とタンク蓋により形成されるものが知られている（例えば、特許文献１参照）。
【０００３】
以下、その貯水装置について図１４および図１５を参照しながら説明する。
【０００４】
図に示すように、貯水タンク１０１は、上方が開口したタンク部１０２と、タンク部１０２の上方開口を覆うタンク蓋１０３と、タンク部１０２とタンク蓋１０３を結合する一対の結合手段１０４を設け、タンク蓋１０３に注水口１０５と排水口１０６および取手手段１０７を設け構成している。
【特許文献１】特開２００５−２２１１６８号公報（［００４６］図１、図２）
【発明の開示】
【発明が解決しようとする課題】
【０００５】
このような従来の貯水装置では、取手手段１０７がタンク蓋１０３に設けられていることにより、取手手段１０７により貯水された重たいタンク部１０２を持ち上げるためには、タンク蓋１０３をタンク部１０２に結合する大形で強固な結合手段１０４を別個に必要とし、取り扱い勝手が悪いという課題があり、別個に結合手段１０４を必要としないようにすることが要求されている。
【０００６】
また、貯水タンク１０１を運ぶときに、タンク蓋１０３の注水口１０５より水漏れすることがあり、注水口より水漏れしないことが要求されている。
【０００７】
本発明は、このような従来の課題を解決するものであり、タンク部とタンク蓋を別個に結合手段を設けることなく結合でき、注水口より水漏れすることのない取扱い勝手の良い貯水装置を提供することを目的としている。
【課題を解決するための手段】
【０００８】
本発明の貯水装置は上記目的を達成するために、本体に装脱可能に設けられる排水タンクを形成する上方が開口したタンク部およびタンク蓋と、前記タンク部の略中央に起立自在に設けられるタンク取手と、このタンク取手が起立状態で貫通するように、前記タンク蓋に設けられる開口部とを備え、前記開口部を介して前記本体からのドレン水を前記排水タンクに貯水する構成としたものである。
【０００９】
この手段により、タンク部とタンク蓋を別個の強固な結合手段により結合する必要がなく、ドレン水の注水口すなわちタンク蓋の開口部より水漏れがしないようにした取扱い勝手の良い貯水装置が得られる。
【００１０】
また、他の手段は、排水タンクのタンク部の前面壁裏面に水平リブを設けたものである。
【００１１】
この手段により、タンク蓋とタンク部前面の隙間等から水の漏れるのが防止される貯水装置が得られる。
【００１２】
また、他の手段は、水平リブを、タンク部表面に表示される水位線の位置に合致するように設け、タンク部を透明または半透明に形成したものである。
【００１３】
この手段により、水平リブがタンク部の外側から目立たなくすることができる貯水装置が得られる。
【００１４】
また、他の手段は、水位線を凸形状または凹形状に形成したものである。
【００１５】
この手段により、成型時のひけを目立ちにくくすることができるとともに、凹形状の場合には成型時のひけの発生を抑制することができる貯水装置が得られる。
【００１６】
また、他の手段は、タンク蓋の端部に設けられた排水口と、この排水口の端辺に沿うようにタンク部の壁面と当接する形状で前記排水口に向かい傾斜する排水案内リブを設けたものである。
【００１７】
この手段により、タンク部に貯水された水を排水口よりスムーズに排出できるとともに、排水口近傍に水が溜まるのが防止でき、排水作業も容易となる貯水装置が得られる。
【００１８】
また、他の手段は、起立自在に設けられたタンク取手と、このタンク取手を寝かせた状態のときに、前記タンク取手の脚部の内面に圧接し、前記タンク取手の内側への変形を規制する規制部を設けたものである。
【００１９】
この手段により、タンク取手がタンク蓋から外れたり引掛かったりすることが防止できる貯水装置が得られる。
【００２０】
また、他の手段は、タンク部の長手方向の壁面中央部に凹状部を設け、前記タンク部の上端に嵌合するタンク蓋に、前記凹状部の上部を覆う着脱用の指掛部を設けたものである。
【００２１】
この手段により、タンク部とタンク蓋の結合力を高めることができるとともに、蓋全体を外しやすくすることができる貯水装置が得られる。
【００２２】
また、タンク蓋の長手方向の中央付近に上部に突設する指掛部を設けたものである。
【００２３】
この手段により、タンク部の容量を減少することなく、省スペースでタンク蓋を外し易くすることできる貯水装置が得られる。
【００２４】
また、他の手段は、タンク蓋の周囲に垂設された嵌合帯部の長手方向の略中央付近に幅寸法大となる拡大部を形成したものである。
【００２５】
この手段により、タンク蓋の外れ易さを解消できるとともに、タンク蓋を容易に外すことができる貯水装置が得られる。
【００２６】
また、他の手段は、タンク部に設けられた引出用取手部の上面に重なるように設けられるカバー部をタンク蓋に形成し、前記カバー部の端部を前記タンク部の壁面に近接または当設させ構成したものである。
【００２７】
この手段により、タンク蓋の変形が防止できるとともに、水が漏れ出ないようにすることができる貯水装置が得られる。
【００２８】
また、他の手段は、タンク部とタンク蓋を乳白色に形成し、少なくともタンク取手を純白色としたものである。
【００２９】
この手段により、デザイン性を確保することができるとともに、タンク取手の取扱いが容易となる貯水装置が得られる。
【発明の効果】
【００３０】
本発明によれば、別個の強固な結合手段を必要とせず、部品点数を少なくして、取扱いが容易となり、また、本体からのドレン水の注水口となる開口部より水漏れのない便利な貯水装置を提供できる。
【００３１】
また、タンク蓋とタンク部間から水漏れを防止できる貯水装置を提供できる。
【００３２】
また、水平リブがタンク部の外側から目立たなくすることができる貯水装置を提供できる。
【００３３】
また、成型時のひけを目立たなくすることができ、また、成型時のひけの発生を抑制することができる貯水装置を提供できる。
【００３４】
また、タンク部に貯水された水を排水口よりスムーズに排出でき、また、排水口近傍に水が溜まるのが防止できる貯水装置を提供できる。
【００３５】
また、タンク取手がタンク蓋から外れたり引掛かったりすることが防止できる貯水装置を提供できる。
【００３６】
また、タンク部とタンク蓋の結合力を高めることができるとともに、蓋全体を外し易くすることができる貯水装置を提供できる。
【００３７】
また、タンク部の容量を減少することなく、省スペースでタンク蓋を外し易くすることができる貯水装置を提供できる。
【００３８】
また、タンク蓋の変形が防止できるとともに、タンク部内の水が漏れないようにすることができる貯水装置を提供できる。
【００３９】
また、排水タンクのデザイン性を確保することができるとともに、タンク取手の取扱いが容易となる貯水装置を提供できる。
【発明を実施するための最良の形態】
【００４０】
本発明の請求項１記載の発明は、本体に装脱可能に設けられる排水タンクを形成する上方が開口したタンク部およびタンク蓋と、前記タンク部の略中央に起立自在に設けられるタンク取手と、このタンク取手が起立状態で貫通するように前記タンク蓋設けられる開口部とを備え、前記開口部を介して前記本体からの排水を前記排水タンクに貯水する構成としたものであり、タンク部に起立自在に設けたタンク取手により、タンク部に本体からの排水が貯水され、タンク部の重量が重くなっても、運搬が容易でタンク部に設けられるタンク蓋には加重されないので、タンク部とタンク蓋を別個の結合手段により結合する必要がなくなるとともに、タンク蓋の着脱時にタンク取手が起立状態で貫通するように開口した開口部が、本体から排出されるドレン水の注水口を兼用することとなり、ドレン水の注水口を別個に設ける必要もなくなり、またタンク蓋の開口部もタンク部の略中央に位置するため、タンク部の壁面で波立っても開口部から飛び出して漏れることはないという作用を有する。
【００４１】
また、請求項２記載の発明は、排水タンクのタンク部の前面壁裏面に波立を抑制用の水平リブを設けたものであり、タンク部内に貯水された水を排出するために排水タンクを本体から引き出すときに、排水タンク内の貯水が搖動して排水タンクの前面内壁に突き当たる状態になっても、発生しようとする波立ちは、水平リブによって抑制され、水平リブの設けられる水平方向の水の動きに変換され、タンク蓋とタンク部の隙間等から水の漏れるのが防止されるという作用を有する。
【００４２】
また、請求項３記載の発明は、水平リブを、タンク部表面に表示される水位線の位置に合致するように設け、前記タンク部を透明または半透明に形成したものであり、貯水量の目安となるようにタンク部表面に設けた水位線に水平リブを合致させることにより、水平リブがタンク部の外側から目立たなくでき、また、タンク部に貯水された貯水量の目視も正確にできるという作用を有する。
【００４３】
また、請求項４記載の発明は、水位線を凸形状または凹形状に形成したものであり、水平リブをタンク部と一体成型したときに発生する成型時のひけが、水位線を凸形状または凹形状に形成することにより目立ちにくくすることができるとともに、水位線を凹形状としたときにはタンク部の肉厚と凹形状の肉厚を均一にすることが可能となり成型時のひけの発生を抑制することができるという作用を有する。
【００４４】
また、請求項５記載の発明は、タンク蓋の端部近傍に設けられる排水口と、この排水口の端辺に沿うようにタンク部の壁面と当接する形状で前記排水口に向かい傾斜する排水案内リブを設けたものであり、貯水されたタンク部の水を排出するときに、排水口より水が排出されるようにタンク部を傾けたとき、タンク部に嵌合しているタンク蓋に設けた排水案内リブの傾斜形状に排水される水が案内されて排水口よりスムーズに排出できるとともに、排水案内リブの端部は薄肉状態で、タンク部壁面とタンク蓋に設けた排水口との間に生じる段差がなくなることにより、排水口近傍に水が溜まるのか防止でき排水作業も容易となる作用を有する。
【００４５】
また、請求項６記載の発明は、起立自在に設けたタンク取手を寝かせたときに、前記タンク取手の脚部の内面に圧接し、前記タンク取手の脚部が内側へ変形するのを規制する規制部を設けたものであり、タンク取手は成型条件によってはタンク取手の脚部が内側に変形しやすいため、タンク取手を寝かせたときに、タンク蓋から外れたり、引っ掛けたりする場合があり、タンク取手の脚部が内側に変形するのを規制部により規制することによって、タンク取手がタンク部から外れたりする不具合を防止できるという作用を有する。
【００４６】
また、請求項７記載の発明は、タンク部の長手方向の壁面中央部に凹状部を設け、前記タンク部の上端に嵌合するタンク蓋に、前記凹状部の上方部を覆う蓋着脱用の指掛部を設けたものであり、タンク部とタンク蓋との嵌合が緩くなる壁面中央部に凹状部を設けることにより、タンク部とタンク蓋との結合力を高めることができ、タンク蓋の外れやすさを解消でき、さらにタンク蓋を外すときには結合力の強い個所を最初に外すことにより蓋全体を外し易くすることができるという作用を有する。
【００４７】
また、請求項８記載の発明は、タンク蓋の長手方向の中央付近に上部に突設する指掛部を設けたものであり、タンク蓋の上部に指掛部を突設させることにより、タンク部の周壁に凹部を形成する必要がなくなり、タンク部の容量を減少することなく省スペースでタンク蓋を外し易くすることができるという作用を有する。
【００４８】
また、請求項９記載の発明は、タンク蓋の周囲に垂設された嵌合帯部の長手方向の略中央付近に幅寸法大なる拡大部を形成したものであり、タンク蓋とタンク部の嵌合の最も緩くなる中央付近の接触面積を増やすことで結合力を増加することとなり、タンク蓋の外れ易さを解消でき、また、嵌合帯部の結合力が大きい個所を指掛部を用いて引き上げることでタンク蓋を容易に外すことができるという作用を有する。
【００４９】
また、請求項１０記載の発明は、タンク部に設けた引出用取手部の上面に重なるように設けられるカバー部をタンク蓋に形成し、前記カバー部の端部を前記タンク部の壁面に近接または当接させたものであり、タンク蓋のカバー部が引出用取手部の上面に支持されて、タンク蓋の変形が防止できるとともに、本体から排水タンクの引き出し操作時や排水のための運搬時等において、タンク部内に貯水された水が波立っても、引出用取手部とタンク蓋との隙間が無いように詰めているので、水が漏れ出さないようにすることができるという作用を有する。
【００５０】
また、請求項１１記載の発明は、タンク部とタンク蓋を乳白色に変形し、少なくともタンク取手を純白色としたものであり、頻繁に本体に装脱して使用される排水タンクのタンク部とタンク蓋を乳白色に統一してデザイン性を確保するとともに、タンク取手などの使用者が操作する部品の色調を変えることにより、目視確認による識別が可能となり取扱い勝手が良くなるという作用を有する。
【００５１】
以下、本発明の実施の形態について図面を参照しながら説明する。
【００５２】
（実施の形態１）
図１〜図９に示すように、除湿装置の本体１に装着または引き出し可能に排水タンク２を設ける。排水タンク２は上方が開口したタンク部３およびタンク部３の上方開口を覆うように着脱自在に設けられるタンク蓋４で形成され、タンク部３の略中央の底部に、対向して立設される一対の受部５と、略逆Ｕ字状で脚部６の端部を受部５に回動自在に軸支して起立自在にタンク取手７を設ける。タンク取手７が起立状態で貫通するようにタンク蓋４に開口部８を設け、開口部８を通して本体１からのドレン水を排水タンク２のタンク部３に送り貯水するように設ける。
【００５３】
また、排水タンク２のタンク部３の前面壁９の裏面に波立ち抑制用の水平リブ１０を設け、水平リブ１０をタンク部３表面に表示される水位線１１の位置に合致するように設け、水位線１１を凸形状１２または凹形状１３に形成し、タンク蓋４の端部近傍に着脱自在な蓋１４を設けた排水口１５を設け、排水口１５の端辺に沿うようにタンク部３の壁面に当接する形状で排水口１５に向かい傾斜する排水案内リブ１６を設ける。
【００５４】
また、起立自在に設けたタンク取手７を寝かせたときに、タンク取手７の脚部６の内側に圧接しタンク取手７の脚部６が内側に変形するのを規制する傾斜した規制部１７をタンク蓋４に設け、タンク部３の長手方向の壁面中央部に凹状部１８を設け、タンク部３の上端に嵌合するタンク蓋４に、凹状部１８の上方部を覆うタンク蓋着脱用の指掛部１９を設けて構成する。
【００５５】
上記構成において、除湿装置等の本体１に排水タンク２を装着した状態で本体１を運転すると、除湿機能により本体１において除湿され発生したドレン水は排水タンク２のタンク蓋４に設けた開口部８を通りタンク部３内に送られて貯水される。タンク部３内に所定の水量が貯水されると、排水タンク２を本体１より取り出し、タンク取手７を起立させ、タンク取手７を持って排水場所に移動し、排水口１５に設けた蓋１４を取り外したのち、排水口１５よりタンク部内に貯水された水を排出する。空になった排水タンク２は、タンク取手７を寝かせた状態で再度本体１に装着して本体１の運転が行われる。
【００５６】
このように実施の形態１の発明によれば、本体１に装脱可能に設けられる排水タンク２を形成する上方が開口したタンク部３およびタンク蓋４と、タンク部３の略中央に起立自在に設けられるタンク取手７と、タンク取手７が起立状態で貫通するようにタンク蓋４に設けられる開口部８とを備え、開口部８を介して本体１から排水タンク２に貯水する構成としたので、タンク部３に起立自在に設けたタンク取手７が貫通するようにタンク蓋４に設けた開口部８を通してタンク部３に本体１からのドレン水が集められ、またタンク部３の重量が重くなってもタンク取手７を持って運搬ができ、タンク部３に設けたタンク蓋４には加重されないのでタンク部３とタンク蓋４を別個の結合手段により結合する必要がなくなるとともに、タンク蓋４の着脱時にタンク取手７に沿い可動できるように開口した開口部８が本体１から排水されるドレン水の通路を兼用することとなり、本体１から排水される水の注水口を別個に設ける必要がなく、タンク蓋４に設けられる開口の数を少なくでき、さらにタンク蓋４の開口部８はタンク部３の略中央に位置することになるので、運搬時などにタンク部３の貯水が波立っても、その壁面に沿って立ち上がり、開口部８からは漏れ出ない。
【００５７】
また、排水タンク２のタンク部３の前面壁裏面に波立ち抑制用の水平リブ１０を設けたので、タンク部３内に貯水された水を排出するために排水タンク２を本体１から引き出すときなどに、排水タンク２内の貯水が搖動して排水タンク２の前面内壁に突き当たる状態になっても、発生しようとする波立ちは水平リブ１０によって抑制され、水平リブ１０の設けられる水平方向の水の動きに変換され、タンク蓋４とタンク部３との隙間から水の漏れるのが防止されることとなる。
【００５８】
また、水平リブ１０をタンク部３表面に表示される水位線１１の位置に合致するように設け、タンク部３を透明または半透明に形成したので、貯水量の目安となるタンク部３表面に設けた水位線１１に水平リブ１０を合致させることにより水平リブ１０がタンク部３の外側から目立たなくすることができ、タンク部３に貯水された貯水量の目視を正確に行うことができることとなる。
【００５９】
また、水位線１１を凸形状１２または凹形状１３に形成したので、水平リブ１０をタンク部３と一体成型したときに発生する成型時のひけが、水位線１１を凸形状１２または凹形状１３に変形することにより目立ち離くすることができ、さらに水位線１１を凹形状１３としたときには、タンク部３の肉厚と凹形状１３の肉厚を略均一にすることが可能となり、成型時のひけの発生を抑制することができることとなる。
【００６０】
また、タンク蓋４の端部近傍に設けられる排水口１５と、排水口１５の端辺に沿うようにタンク部３の壁面に当接する形状で、排水口１５に向かい傾斜する排水案内リブ１６を設けたので、貯水されたタンク部３の水を排出するときに、排水口１５より水が排出されるようにタンク部３を傾けたとき、タンク部３に嵌合しているタンク蓋４に設けた排水案内リブ１６の傾斜形状により排出される水が案内されて排水口１５よりスムーズに排出できるとともに、排水案内リブ１６の端部は薄肉状態でタンク部３の壁面とタンク蓋４に設けた排水口１５との間に生じる段差がなくなることにより、排水口１５近傍に段差による水溜りができるのを防止でき、排水作業も容易となることとなる。
【００６１】
また、起立自在に設けたタンク取手７を寝かせたときに、タンク取手７の脚部６の内面に圧接し、タンク取手７の脚部６が内側へ変形するのを規制する規制部１７を設けたので、タンク取手７は成型条件によってはタンク取手７の脚部６が内側へ変形しやすいため、タンク取手７を寝かせたときに、タンク蓋から外れたり、タンク蓋４に引っ掛かったりする場合があるが、タンク取手７の脚部６が内側に変形するのを規制部１７により規制することによって、タンク取手が外れないように円滑に回動させることができる。
【００６２】
また、タンク部３の長手方向の壁面中央部凹状部１８を設け、タンク部３の上端に嵌合するタンク蓋４に凹状部１８の上方部を覆う蓋着脱用の指掛部１９を設けたので、タンク部３とタンク蓋４との嵌合は壁面中央部で弱くなるが、凹状部１８を壁面中央部に設けて結合力を高めることにより、タンク蓋４の外れやすさを解消でき、またタンク蓋４を外すときは、結合力を強くした凹状部１８を指掛部１９により最初に外すようにして、タンク蓋４全体を外し易くすることができることとなる。
【００６３】
（実施の形態２）
図１０に示すように、タンク蓋４Ａの長手方向の中央付近に上部に突出する指掛部１９Ａを設けて構成する。
【００６４】
上記構成においては、タンク蓋４Ａの上部にタンク蓋４Ａを取り外すための指掛部１９Ａを突設させることにより、タンク部３の周壁に凹状部を形成する必要がなくなり、タンク部３の容量を減少することなく、省スペースでタンク蓋４Ａを外し易くすることができることとなる。
【００６５】
（実施の形態３）
図１１に示すように、タンク蓋４Ｂの周囲に垂設された嵌合帯部２０の長手方向の略中央付近に幅寸法の大なる拡大部２１を形成し構成する。
【００６６】
上記構成においては、タンク蓋４Ｂとタンク部３の嵌合の最も緩くなる中央付近の接触面積を増やすことで、タンク部３に対するタンク蓋４Ｂの結合力を増加することとなり、タンク蓋４Ｂの外れ易さを解消でき、また、嵌合帯部２０の結合力の大きい箇所を指掛部１９Ａを用いて引き上げることでタンク蓋４Ｂを容易に外すことができることとなる。
【００６７】
（実施の形態４）
図１２および図１３に示すように、タンク部３Ａに設けた引出用取手部２２の上面に重なるように設けられるカバー部２３をタンク蓋４Ｃに形成し、カバー部２３の端部をタンク部３Ａの壁面に近接または当接するように設け、タンク部３Ａとタンク蓋４Ｃを透明または半透明の乳白色に形成し、蓋１４Ａとタンク取手７Ａのうちすくなくともタンク取手７Ａを不透明な純白色に構成する。
【００６８】
上記構成においては、タンク蓋４Ｃのカバー部２３が引出用取手部２２の上面に支持されて、タンク蓋４Ｃの下方への変形が防止できるとともに、本体（図示せず）からの排水タンク２の装脱操作時や排水のための運搬時において、タンク部３Ａ内に貯水された水が波立っても引出用取手部２２とタンク蓋４Ｃとの隙間を無くするように詰めているので、水が漏れ出さないようにすることができる。  またタンク部３Ａをタンク蓋４Ｃを乳白色に形成し、少なくともタンク取手７Ａを純白色とすることにより、頻繁に本体に着脱して使用される排水タンク２のタンク部３Ａ、タンク蓋４Ｃおよび取手７Ａの基本色を白色に統一してデザイン性を確保することができるとともに、タンク取手７Ａおよび蓋１４Ａなどの使用者が操作する部品の色調を他の部品と変えることにより、目視確認による識別が可能となり取扱い勝ってが良くなることとなる。
【００６９】
なお、実施の形態４ではタンク取手７Ａおよび蓋１４Ａの色を純白色としたが、使用者が目視確認による識別が容易な白色系であれば良いことはいうまでもない。
【産業上の利用可能性】
【００７０】
ドレン水をそのまま排水できない場所に取付けた窓用エアコンやスポットクーラの貯水タンクとしての用途にも適用できる。
【図面の簡単な説明】
【００７１】
【図１】本発明の実施の形態１の貯水装置の斜視図
【図２】同貯水装置を本体に装着した状態を示す斜視図
【図３】同貯水装置のタンク部の斜視図
【図４】同貯水装置の水位線を示す概略断面図
【図５】同貯水装置の水平リブと凸形状の水位線を示す要部説明図
【図６】同貯水装置の水平リブと凹形状の水位線を示す要部説明図
【図７】同貯水装置の排水口部分を示す概略断面図
【図８】同貯水装置のタンク取手の規制部を示す斜視図
【図９】同貯水装置のタンク取手の規制部を示す概略断面図
【図１０】本発明の実施形態２の貯水装置の指掛部を示す部分斜視図
【図１１】本発明の実施形態３の貯水装置の嵌合帯部を示す部分斜視図
【図１２】本発明の実施形態４の貯水装置の引出用取手部を示す斜視図
【図１３】同貯水装置のカバー部を示す斜視図
【図１４】従来の貯水装置の斜視図
【図１５】同貯水装置の分解斜視図
【符号の説明】
【００７２】
１      本体
２      排水タンク
３      タンク部
３Ａ    タンク部
４      タンク蓋
４Ａ    タンク蓋
４Ｂ    タンク蓋
４Ｃ    タンク蓋
６      脚部
７      タンク取手
７Ａ    タンク取手
８      開口部
９      前面壁
１０    水平リブ
１１    水位線
１２    凸形状
１３    凹形状
１５    排水口
１６    排水案内リブ
１７    規制部
１８    凹状部
１９    指掛部
１９Ａ  指掛部
２０    嵌合帯部
２１    拡大部
２２    引出用取手部
２３    カバー部
【図１】
2007216090.tif 000003
【図２】
2007216090.tif 000004
【図３】
2007216090.tif 000005
【図４】
2007216090.tif 000006
【図５】
2007216090.tif 000007
【図６】
2007216090.tif 000008
【図７】
2007216090.tif 000009
【図８】
2007216090.tif 000010
【図９】
2007216090.tif 000011
【図１０】
2007216090.tif 000012
【図１１】
2007216090.tif 000013
【図１２】
2007216090.tif 000014
【図１３】
2007216090.tif 000015
【図１４】
2007216090.tif 000016
【図１５】
2007216090.tif 000017